(57)【要約】【課題】幼い子供などを見守る保護者からの視点、及び保護者に見守られる子供からの視点において、ユーザの利便性を向上させること。【解決手段】１つの態様において、操作部と、通信部と、ディスプレイと、スピーカと、レシーバと、コントローラとを備える。コントローラは、自機の充電台への設置を検知すると、自機の動作モードを第１モードから第２モードに動作を切り替える。コントローラは、第１モードであるとき、操作部からの操作に基づいて警告音を出力し、第２モードであるとき、操作部からの操作があっても警告音を出力しない。【選択図】図４
2019041187.tif 000002
【特許請求の範囲】
【請求項１】
操作部と、通信部と、ディスプレイと、スピーカと、レシーバと、コントローラとを備え、
前記コントローラは、自機の充電台への設置を検知すると、自機の動作モードを第１モードから第２モードに動作を切り替え、
前記コントローラは、
前記第１モードであるとき、前記操作部からの操作に基づいて警告音を出力し、
前記第２モードであるとき、前記操作部からの操作があっても警告音を出力しない、携帯端末。
【請求項２】
前記コントローラは、
自機の充電台への設置を、前記充電台からの給電開始により検知する請求項１に記載の携帯端末。
【請求項３】
前記コントローラは、
自機の充電台への設置を検知すると、前記充電台との間でペアリング処理を実行し、ペアリングが完了すると、自機の動作モードを前記第１モードから前記第２モードに切り替える請求項１に記載の携帯端末。
【請求項４】
前記コントローラは、
自機と前記充電台との間の距離が所定距離以下になると、充電を促す報知を実行する請求項１に記載の携帯端末。
【請求項５】
前記コントローラは、
前記第１モードから前記第２モードへの切り替えが完了すると、前記通信部を介して、予め通知先に設定されている他の端末に通知する請求項１に記載の携帯端末。
【請求項６】
前記コントローラは、
自機の充電台への設置を検知すると、予め設定された画像を前記ディスプレイに表示させる請求項１に記載の携帯端末。
【請求項７】
前記コントローラは、
前記第１モードであるとき、前記スピーカ又は前記レシーバから音の出力を実行し、
前記第２モードであるとき、前記充電台に備えられたスピーカから音の出力を実行する請求項１に記載の携帯端末。
【請求項８】
前記コントローラは、
前記第２モードであるとき、着信音、通話音声又はアラーム音を、前記充電台に備えられるスピーカから出力させる請求項７に記載の携帯端末。
【請求項９】
前記コントローラは、
前記第２モードであるとき、予め設定された時間に紐付されたメッセージを、充電台に備えられるスピーカから報知する請求項１に記載の携帯端末。
【請求項１０】
撮像部をさらに備え、
前記コントローラは、
前記第２モードであるとき、前記通信部を介して他の端末から受信する指示に応じて、前記撮像部に画像を撮影させ、当該撮影させた画像を前記通信部を介して前記指示の送信元である他の端末に送信する請求項１に記載の携帯端末。
【請求項１１】
前記コントローラは、
前記第２モードであるとき、前記通信部を介して前記他の端末から受信する位置情報に基づいて、予め設定されている第１の位置及び第２の位置と、前記他の端末の現在位置との位置関係を計算し、計算した当該位置関係を示す仮想的な画像を生成して、生成した当該画像を前記ディスプレイに表示させる請求項１に記載の携帯端末。
【請求項１２】
前記コントローラは、
前記第２モードであるとき、前記他の端末から前記位置情報を周期的に受信し、前記位置情報を受信するたびに、最新の前記位置情報に基づいて前記位置関係を再計算し、再計算した位置関係に基づいて更新した前記画像を前記ディスプレイに表示させる請求項１０に記載の携帯端末。
【請求項１３】
携帯端末と、充電台と、他の端末とを備えるシステムであって、
前記携帯端末は、
通信部と、コントローラとを備え、
前記コントローラは、
自機の前記充電台への設置を検知すると、前記通信部を介して、他の端末に通知するシステム。
【発明の詳細な説明】
【技術分野】
【０００１】
本出願は、携帯端末及びシステムに関する。
【背景技術】
【０００２】
従来、幼い子供及び学童などの身の安全等の確保することを目的として、ユーザが特定の操作を行うと防犯ブザーが鳴動し、現在の位置情報を所定の宛先に自動的に送信する、防犯効果のある携帯電話装置がある。
【先行技術文献】
【特許文献】
【０００３】
【特許文献１】特開２００７−１８０７８４号公報
【発明の概要】
【発明が解決しようとする課題】
【０００４】
従来の技術には、幼い子供などを見守る保護者からの視点、及び保護者に見守られる子供からの視点において、機能の充実化を図り、ユーザの利便性を向上させる余地がある。
【課題を解決するための手段】
【０００５】
１つの態様に係る携帯端末は、操作部と、通信部と、ディスプレイと、スピーカと、レシーバと、コントローラとを備える。コントローラは、自機の充電台への設置を検知すると、自機の動作モードを第１モードから第２モードに動作を切り替える。コントローラは、第１モードであるとき、操作部からの操作に基づいて警告音を出力し、第２モードであるとき、操作部からの操作があっても警告音を出力しない。
【０００６】
１つの態様に係るシステムは、携帯端末と、充電台と、他の端末とを備えるシステムである。携帯端末は、通信部と、コントローラとを備える。コントローラは、自機の充電台への設置を検知すると、通信部を介して、他の端末に通知する。
【図面の簡単な説明】
【０００７】
【図１】図１は、実施形態に係る携帯端末の外観の一例を示す図である。
【図２】図２は、実施形態に係る携帯端末が充電台に設置されたときの外観の一例を示す図である。
【図３】図３は、実施形態に係るシステム構成の概要を示す図である。
【図４】図４は、実施形態に係る携帯端末の機能構成の一例を示すブロック図である。
【図５】図５は、実施形態に係るホームアプリ用データの構成概要を示す図である。
【図６】図６は、実施形態に係る報知設定テーブルの一例を示す図である。
【図７】図７は、実施形態に係るグループ端末データの一例を示す図である。
【図８】図８は、実施形態に係るグループ端末位置データの一例を示す図である。
【図９】図９は、実施形態に係る充電台の機能構成の一例を示すブロック図である。
【図１０】図１０は、実施形態に係る携帯端末により実行される処理の一例を示すフローチャートである。
【図１１】図１１は、実施形態に係るキャラクタ画像の表示例を示す図である。
【図１２】図１２は、実施形態に係る携帯端末により実行される処理の一例を示すフローチャートである。
【図１３】図１３は、実施形態に係る携帯端末により実行される処理の一例を示すフローチャートである。
【図１４】図１４は、実施形態に係る携帯端末により実行される処理の一例を示すフローチャートである。
【図１５】図１５は、実施形態に係る携帯端末により実行される処理の一例を示すフローチャートである。
【図１６】図１６は、実施形態に係る位置表示画像の表示例を示す図である。
【図１７】図１７は、実施形態に係る携帯端末により実行される処理の一例を示すフローチャートである。
【図１８】図１８は、実施形態に係る携帯端末により実行される処理の一例を示すフローチャートである。
【図１９】図１９は、実施形態に係る携帯端末により実行される処理の一例を示すフローチャートである。
【発明を実施するための形態】
【０００８】
本出願に係る実施形態を、図面を参照しつつ詳細に説明する。以下の説明において、同様の構成要素について同一の符号を付すことがある。さらに、重複する説明は省略することがある。
【０００９】
図１は、実施形態に係る携帯端末の外観の一例を示す図である。図１に示すように、携帯端末１は、筐体２０を有する。筐体２０は、フロントフェイス１Ａ及びバックフェイス１Ｂを有する。フロントフェイス１Ａは、携帯端末１を利用するユーザと対面する携帯端末１の正面である。バックフェイス１Ｂは、携帯端末１の背面である。バックフェイス１Ｂは、面の中心からフロントフェイス１Ａに接続するエッジに向かって緩やかに傾斜する曲面を有する。
【００１０】
携帯端末１は、ディスプレイ２Ａ、タッチスクリーン２Ｂ、ホームキー３Ａ、カメラ（インカメラ）１２をフロントフェイス１Ａに有する。携帯端末１は、ブザースイッチ３Ｂ、スピーカ１１、カメラ（アウトカメラ）１３を有する。
【００１１】
図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１２】
図２は、実施形態に係る携帯端末が充電台に設置されたときの外観の一例を示す図である。図２は、携帯端末１が専用の充電台１００に設置されたときの正面図Ｖ１と、右側面図Ｖ２を示している。図２に示すように、携帯端末１は、例えば充電の際、充電台１００に隙間なく設置される。携帯端末１は、充電台１００に設置された状態であっても、ストラップ３０を操作することにより、ブザースイッチ３Ｂを入れて、警告音を出力させることができる。携帯端末１は、充電台１００に設置された状態であるとき、充電台１００のスピーカ１１０から、着信音、通話音声、アラーム音、警告音などを出力することもできる。
【００１３】
図３は、実施形態に係るシステム構成の概要を示す図である。図３に示すように、携帯端末１は、通信ネットワーク２００を介して、携帯端末ＭＢ１及び携帯端末ＭＢ２と通信できる。当該システムの好適な使用状況を例示するとすれば、子供が携帯端末１を使用し、子供の両親が携帯端末ＭＢ１及び携帯端末ＭＢ２をそれぞれ使用するという場合が考えられる。通信ネットワーク２００は、インターネット及び携帯電話網を含む。携帯端末１は、充電台１００と、無線通信ネットワーク３００を介して、通信可能な状態で接続される。無線通信ネットワーク３００は、Ｂｌｕｅｔｏｏｔｈ（登録商標）などの近距離無線の通信方式を含む。
【００１４】
図４は、実施形態に係る携帯端末１の機能構成の一例を示すブロック図である。以下の説明において、同様の構成要素について同一の符号を付すことがある。以下の説明において、重複する説明は省略することがある。以下の説明において、携帯端末１を「自機」と表記する場合がある。
【００１５】
図１に示すように、携帯端末１は、ディスプレイ２Ａと、タッチスクリーン２Ｂと、ホームキー３Ａと、ブザースイッチ３Ｂと、照度センサ４と、近接センサ５と、通信ユニット６と、レシーバ７と、マイク８と、ストレージ９と、コントローラ１０と、スピーカ１１と、カメラ（インカメラ）１２と、カメラ（アウトカメラ）１３と、コネクタ１４と、ＧＰＳ受信機１５と、バッテリー１６とを有する。
【００１６】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面などを含む。ホーム画面は、デスクトップ、待受画面、アイドル画面、標準画面、アプリ一覧画面又はランチャー画面と呼ばれることもある。実施形態において、ディスプレイ２Ａは、携帯端末１が充電台１００に設置されたときに、予め設定されたキャラクタの画像を表示できる。
【００１７】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。
【００１８】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。ジェスチャは、指を用いて、タッチスクリーン２Ｂに対して行われる操作である。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１９】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００２０】
コントローラ１０は、タッチスクリーン２Ｂを介して判別するこれらのジェスチャに従って動作を行う。このため、利用者にとって直感的で使いやすい操作性が実現される。判別されるジェスチャに従ってコントローラ１０が行う動作は、ディスプレイ２Ａに表示されている画面に応じて異なることがある。
【００２１】
タッチスクリーン２Ｂの検出方式は、静電容量方式、抵抗膜方式、表面弾性波方式、赤外線方式、及び荷重検出方式等の任意の方式でよい。
【００２２】
ホームキー３Ａは、ユーザからの操作入力を受け付ける。ホームキー３Ａ等に対する操作は、例えば、クリック、ダブルクリック、トリプルクリック、プッシュ、及びマルチプッシュを含むが、これらに限定されない。携帯端末１は、ホームキー３Ａ以外に、他の機能に関連する複数のキーを備えてもよい。
【００２３】
ブザースイッチ３Ｂは、防犯用のブザーを鳴動させる操作を受け付ける。ブザースイッチ３Ｂは、例えば、ブザースイッチ３Ｂに連結されたストラップ３０が引っ張られることにより動作する。ストラップ３０が引っ張られると、警報音の鳴動を指示する信号が、ブザースイッチ３Ｂに接続する回路からコントローラ１０に送出される。ブザースイッチ３Ｂは、操作部の一例である。
【００２４】
照度センサ４は、照度を検出する。照度は、照度センサ４の測定面の単位面積に入射する光束の値である。照度センサ４は、例えば、ディスプレイ２Ａの輝度の調整に用いられる。
【００２５】
近接センサ５は、近隣の物体の存在を非接触で検出する。近接センサ５は、赤外線を照射する発光素子と、発光素子から照射された赤外線の反射光を受光する受光素子を有する。照度センサ４及び近接センサ５は、１つのセンサとして構成されていてもよい。
【００２６】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（登録商標）（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。通信ユニット６は、上述した通信規格の１つ又は複数をサポートしていてもよい。通信ユニット６は、通信部の一例である。
【００２７】
レシーバ７は、コントローラ１０から送出される音信号を音として出力する。マイク８は、入力されるユーザの声等を音信号へ変換してコントローラ１０へ送信する。
【００２８】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２９】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳ（Ｏｐｅｒａｔｉｎｇ  Ｓｙｓｔｅｍ）が含まれる。プログラムは、通信ユニット６による無線通信又は非一過的な記憶媒体を介してストレージ９にインストールされてもよい。
【００３０】
ストレージ９は、制御プログラム９Ａ、ホームアプリケーション９Ｂ、及び設定データ９Ｚなどを記憶できる。
【００３１】
制御プログラム９Ａは、携帯端末１の各種動作に関する処理を実現するための機能をそれぞれ提供できる。制御プログラム９Ａが提供する機能は、照度センサ４の検出結果に基づいて、ディスプレイ２Ａの輝度を調整する機能を含む。制御プログラム９Ａが提供する機能は、近接センサ５の検出結果に基づいて、タッチスクリーン２Ｂに対する操作を無効とする機能を含む。制御プログラム９Ａが提供する機能は、通信ユニット６、レシーバ７、及びマイク８等を制御することによって、通話を実現させる機能を含む。制御プログラム９Ａが提供する機能は、カメラ１２、及びカメラ１３の撮影処理を制御する機能を含む。制御プログラム９Ａが提供する機能は、コネクタ１４を介して接続される外部機器との間の通信を制御する機能を含む。制御プログラム９Ａが提供する機能は、タッチスクリーン２Ｂの検出結果に基づいて判別したジェスチャに応じて、ディスプレイ２Ａに表示されている情報を変更する等の各種制御を行う機能を含む。制御プログラム９Ａが提供する機能は、ＧＰＳ受信機１５より取得する信号に基づいて、現在位置に基づく処理を実行する機能を含む。
【００３２】
制御プログラム９Ａは、携帯端末１の充電台１００への設置を検知すると、自機の動作モードを第１モードから第２モードへ切り替えるための機能を提供できる。制御プログラム９Ａは、例えば、充電台１００からの給電開始により、自機の充電台１００への設置を検知できる。第１モードは、自機が充電台１００に設置されていないときの自機の各種動作を制御するモードである。第２モードは、自機が充電台１００に設置されているときの携帯端末１の各種動作を制御するモードである。
【００３３】
制御プログラム９Ａは、第１モードであるとき、ブザースイッチ３Ｂの操作に基づいて警告音を出力し、第２モードであるとき、ブザースイッチ３Ｂの操作があっても警告音を出力しないための機能を提供できる。
【００３４】
制御プログラム９Ａは、自機の充電台１００への設置を検知すると、充電台１００との間でペアリング処理を実行し、ペアリングが完了すると、自機の動作モードを第１モードから第２モードへ切り替えるための機能を提供できる。制御プログラム９Ａは、Ｂｌｕｅｔｏｏｔｈ（登録商標）を用いて、充電台１００との間の近距離無線接続を確立することにより、自機と充電台１００とをペアリングできる。
【００３５】
制御プログラム９Ａは、自機と充電台１００との間の距離が所定距離以下になると、充電を促す報知を行う機能を提供できる。制御プログラム９Ａは、充電台１００から発信される電波の電波強度（ＲＳＳＩ（Ｒｅｃｅｉｖｅｄ  Ｓｉｇｎａｌ  Ｓｔｒｅｎｇｔｈ  Ｉｎｄｉｃａｔｏｒ）値を測定して、自機と充電台１００との間の距離を計測できる。制御プログラム９Ａは、自機が測距センサを搭載する場合には、自機と充電台１００との間の距離を計測してもよい。
【００３６】
制御プログラム９Ａは、第１モードであるとき、自機のスピーカ１１又はレシーバ７から音の出力を実行するための機能を提供できる。制御プログラム９Ａは、第２モードであるとき、ホームアプリケーションと連携して、充電台１００に備えられるスピーカ１１０から音の出力を実行するための機能を提供できる。制御プログラム９Ａは、第２モードであるとき、着信音、通話音声、アラーム音、警告音を、充電台１００に備えられるスピーカ１１０から出力させる機能を提供できる。
【００３７】
ホームアプリケーション９Ｂは、制御プログラム９Ａと連携して、第２モードであるときの携帯端末１の動作を制御するための機能を提供できる。例えば、ホームアプリケーション９Ｂより提供される機能は、第１モードから第２モードへ自機の動作モードの切り替えが完了すると、通信ユニット６を介して、予め通知先に設定されている携帯端末ＭＢ１及び携帯端末ＭＢ２に通知するための機能を含む。携帯端末ＭＢ１及び携帯端末ＭＢ２への通知の内容は、例えば、携帯端末１の充電が開始された旨を知らせるもの、或いは充電が開始された旨に代えて、携帯端末１のユーザが自宅に帰宅した旨を知らせるものであってよい。
【００３８】
例えば、上記ホームアプリケーション９Ｂより提供される機能は、自機の充電台への設置を検知すると、予め設定されたキャラクタの画像をディスプレイ２Ａに表示させるための機能を含む。キャラクタの画像は、第１モードから第２モードへの切り替え完了前と、切り替え完了後とで異なる画像であってもよい。
【００３９】
例えば、上記ホームアプリケーション９Ｂより提供される機能は、予め設定された時間に紐付されたメッセージを、充電台１００に備えられたスピーカ１１０から報知する機能を含む。予め設定された時間に紐付されたメッセージは、所望の内容のメッセージを任意に設定できる。予め設定された時間に紐付されたメッセージを例示するならば、帰宅時のうがい、手洗いなどの生活習慣に関する指示、習い事の時間の御知らせ、親の帰宅予定時間など、親から子供への連絡事項を含む。
【００４０】
例えば、上記ホームアプリケーション９Ｂより提供される機能は、通信ユニット６を介して携帯端末ＭＢ１又は携帯端末ＭＢ２から受信する指示に応じて、カメラ１２又はカメラ１３に画像を撮影させ、当該撮影させた画像を通信ユニット６を介して、指示の送信元である携帯端末ＭＢ１又は携帯端末ＭＢ２に送信する機能を含む。
【００４１】
例えば、上記ホームアプリケーション９Ｂより提供される機能は、通信ユニット６を介して、携帯端末ＭＢ１又は携帯端末ＭＢ２から受信する位置情報に基づいて、予め設定されている第１の位置及び第２の位置と、携帯端末ＭＢ１又は携帯端末ＭＢ２の現在位置との位置関係を計算し、計算した当該位置関係を示す仮想的な画像を生成して、生成した当該画像をディスプレイ２Ａに表示させる機能を含む。第１の位置及び第２の位置を例示するならば、第１の位置が携帯端末１のユーザ（以下、子供と記載する）および携帯端末ＭＢ１又は携帯端末ＭＢ２のユーザ（以下、両親と記載する）の自宅の位置であり、第２の位置が両親の会社の位置である場合が考えられる。
【００４２】
例えば、上記ホームアプリケーション９Ｂより提供される機能は、携帯端末ＭＢ１又は携帯端末ＭＢ２から位置情報を周期的に受信し、位置情報を受信するたびに、最新の位置情報に基づいて、上記第１の位置及び上記第２の位置と携帯端末ＭＢ１又は携帯端末ＭＢ２の現在位置との位置関係を再計算し、再計算した位置関係に基づいて更新した画像をディスプレイ２Ａに表示させる機能を含む。例えば、携帯端末ＭＢ１又は携帯端末ＭＢ２は、第１モードから第２モードへの切り替えが完了した際に携帯端末１から送信される通知を受信することを契機として、位置測位を開始し、位置データを携帯端末１に送信できる。
【００４３】
例えば、上記ホームアプリケーション９Ｂより提供される機能は、携帯端末ＭＢ１又は携帯端末ＭＢ２から受信する位置情報をストレージ９に記録する機能を含む。
【００４４】
設定データ９Ｚは、携帯端末１の動作に関する各種設定の情報を含む。設定データ９Ｚは、認証用データ９１、ホームアプリ用データ９２、報知設定テーブル９３、グループ端末データ９４、グループ端末位置データ９５を含む。
【００４５】
認証用データ９１は、自機と充電台１００との間でペアリングを実行する際に参照されるプロファイル、及びペアリングの際に自機と充電台１００との間で交換されるパスキーなどのデータを含む。
【００４６】
ホームアプリ用データ９２は、上記ホームアプリケーション９Ｂにより実行される処理において参照される。図５は、実施形態に係るホームアプリ用データの構成概要を示す図である。図５に示すように、ホームアプリ用データ９２は、キャラクタ設定ファイル９２ａと、報知用音声ファイル９２ｂと、位置表示画像生成用ファイル９２ｃとを含む。キャラクタ設定ファイル９２ａは、自機の充電台への設置を検知してディスプレイ２Ａに表示されるキャラクタの画像データが設定されるファイルである。報知用音声ファイル９２ｂは、充電台１００に備えられたスピーカ１１０から報知される音声データが設定されるファイルである。位置表示画像生成用ファイル９２ｃは、予め設定されている第１の位置及び第２の位置と、携帯端末ＭＢ１又は携帯端末ＭＢ２の現在位置との位置関係を示す仮想的な画像を生成する際に参照されるデータが設定されるファイルである。
【００４７】
報知設定テーブル９３は、充電台１００に備えられたスピーカ１１０から所定の報知を実行する条件が設定されるテーブルである。図６は、実施形態に係る報知設定テーブルの一例を示す図である。図６に示すように、報知設定テーブル９３は、報知実行条件ごとに、再生する音声ファイルの識別子を対応付けて構成される。報知実行条件は、例えば、「第１モードから第２モードへの切り替えが完了した場合」、「時刻が１５：００に到達した場合」、「時刻が１７：００に到達した場合」などを含む。第１モードから第２モードへの切り替えが完了した場合に対応する音声ファイルの内容を例示するとすれば、「お帰りなさい」、「手を洗いましょう」など、帰宅した子供に対する挨拶の音声が考えられる。時刻が１５：００に到達した場合に対応する音声ファイルの内容を例示するとすれば、「冷蔵庫におやつがあります」など、子供に対する連絡事項の音声が考えられる。時刻が１７：００に到達した場合に対応する音声ファイルの内容を例示するとすれば、「もうすぐ塾の時間です」など子供の対するリマインド通知の音声が考えられる。報知設定テーブル９３の音声ファイルは、所定のユーザインタフェースなどを介して、時刻に対応したメッセージを例えば、両親が録音することにより生成することができる。
【００４８】
グループ端末データ９４は、携帯端末１との間で相互にデータのやり取りを実行するグループとして予め設定される端末のデータである。グループ端末を例示するとすれば、子供が携帯端末１を使用している場合、子供の両親が使用する携帯端末ＭＢ１及び携帯端末ＭＢ２がグループ端末として設定されることが考えられる。例えば、図７は、実施形態に係るグループ端末データの一例を示す図である。図７に示すように、グループ端末データ９４は、グループ端末ごとに、メールアドレス及び電話番号を対応付けて構成される。
【００４９】
グループ端末位置データ９５は、グループ端末から受信する位置データである。図８は、実施形態に係るグループ端末位置データの一例を示す図である。図８に示すように、グループ端末位置データ９５は、グループ端末ごとに、位置データの受信時刻と、当該受信時刻に受信された位置データとを対応付けて構成される。
【００５０】
携帯端末１は、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００５１】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、携帯端末１の動作を統括的に制御して各種の機能を実現する。
【００５２】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、スピーカ１１及びＧＰＳ受信機１５を含むが、これらに限定されない。コントローラ１０は、検出部の検出結果に応じて、制御を変更することがある。検出部は、例えば、タッチスクリーン２Ｂ、ホームキー３Ａ、照度センサ４、近接センサ５、マイク８、カメラ１２、及びカメラ１３を含むが、これらに限定されない。
【００５３】
コントローラ１０は、制御プログラム９Ａを実行することにより、携帯端末１の動作に関する各種制御を実現できる。例えば、コントローラ１０は、照度センサ４の検出結果に基づいて、ディスプレイ２Ａの輝度を調整する処理を実行できる。例えば、コントローラ１０は、制御プログラム９Ａが提供する機能は、近接センサ５の検出結果に基づいて、タッチスクリーン２Ｂに対する操作を無効とする処理を実現できる。例えば、コントローラ１０は、通信ユニット６、レシーバ７、及びマイク８等を制御することによって、通話を実現させる処理を実現できる。例えば、コントローラ１０は、カメラ１２及びカメラ１３の撮影処理を制御する処理を実現できる。例えば、コントローラ１０は、コネクタ１４を介して接続される外部機器との間の通信を制御する処理を実現できる。例えば、コントローラ１０は、タッチスクリーン２Ｂの検出結果に基づいて判別したジェスチャに応じて、ディスプレイ２Ａに表示されている情報を変更する等の各種制御を行う処理を実現できる。例えば、コントローラ１０は、ＧＰＳ受信機１５より取得する信号に基づいて、現在位置に基づく処理を実行できる。
【００５４】
コントローラ１０は、制御プログラム９Ａを実行することにより、携帯端末１の充電台１００への設置を検知すると、自機の動作モードを第１モードから第２モードへ切り替える処理を実現できる。コントローラ１０は、例えば、充電台１００からの給電開始により、自機の充電台１００への設置を検知できる。
【００５５】
コントローラ１０は、制御プログラム９Ａを実行することにより、携帯端末１の充電台１００への設置を検知すると、充電台１００との間でペアリング処理を実行し、ペアリングが完了すると、自機の動作モードを第１モードから第２モードへ切り替える処理を実現することもできる。
【００５６】
コントローラ１０は、制御プログラム９Ａ及びホームアプリケーションを実行することにより、第１モードであるとき、ブザースイッチの操作に基づいて警告音を出力し、第２モードであるとき、ブザースイッチの操作があっても警告音を出力しない処理を実現できる。例えば、コントローラ１０は、第２モードであるとき、ブザースイッチ３Ｂの操作によりブザースイッチに接続する回路から出力される信号を破棄することにより、警告音を出力しないように制御できる。
【００５７】
コントローラ１０は、制御プログラム９Ａを実行することにより、自機と充電台１００との間の距離が所定距離以下になると、充電を促す報知を行う処理を実現できる。コントローラ１０は、例えば、充電台１００から発信される電波の電波強度値を測定して、自機と充電台１００との間の距離を計測できる。
【００５８】
コントローラ１０は、制御プログラム９Ａ及びホームアプリケーション９Ｂを実行することにより、第１モードであるとき、自機のスピーカ１１又はレシーバ７から音の出力を実行し、第２モードであるとき、ホームアプリケーションと連携して、充電台１００に備えられるスピーカ１１０から音の出力を実行する処理を実現できる。
【００５９】
コントローラ１０は、制御プログラム９Ａ及びホームアプリケーション９Ｂを実行することにより、第１モードから第２モードへ自機の動作モードの切り替えが完了すると、通信ユニット６を介して、予め通知先に設定されている携帯端末ＭＢ１及び携帯端末ＭＢ２に通知する処理を実現できる。携帯端末ＭＢ１及び携帯端末ＭＢ２への通知の内容は、例えば、携帯端末１の充電が開始された旨を知らせるもの、或いは充電が開始された旨に代えて、携帯端末１のユーザが自宅に帰宅した旨を知らせるものであってよい。
【００６０】
コントローラ１０は、制御プログラム９Ａ及びホームアプリケーション９Ｂを実行することにより、予め設定された時間に紐付されたメッセージを、充電台１００に備えられたスピーカ１１０から報知する処理を実現できる。
【００６１】
コントローラ１０は、制御プログラム９Ａ及びホームアプリケーション９Ｂを実行することにより、通信ユニット６を介して携帯端末ＭＢ１又は携帯端末ＭＢ２から受信する指示に応じて、カメラ１２又はカメラ１３に画像を撮影させ、当該撮影させた画像を通信ユニット６を介して、指示の送信元である携帯端末ＭＢ１又は携帯端末ＭＢ２に送信する処理を実現できる。
【００６２】
コントローラ１０は、制御プログラム９Ａ及びホームアプリケーション９Ｂを実行することにより、通信ユニット６を介して、携帯端末ＭＢ１又は携帯端末ＭＢ２から受信する位置情報に基づいて、予め設定されている第１の位置及び第２の位置と、携帯端末ＭＢ１又は携帯端末ＭＢ２の現在位置との位置関係を計算し、計算した当該位置関係を示す仮想的な画像を生成して、生成した当該画像をディスプレイ２Ａに表示させる処理を実現できる。
【００６３】
コントローラ１０は、制御プログラム９Ａ及びホームアプリケーション９Ｂを実行することにより、携帯端末ＭＢ１又は携帯端末ＭＢ２から位置情報を周期的に受信し、位置情報を受信するたびに、最新の位置情報に基づいて、上記第１の位置及び上記第２の位置と携帯端末ＭＢ１又は携帯端末ＭＢ２の現在位置との位置関係を再計算し、再計算した位置関係に基づいて更新した画像をディスプレイ２Ａに表示させる処理を実現できる。
【００６４】
コントローラ１０は、制御プログラム９Ａ及びホームアプリケーション９Ｂを実行することにより、携帯端末ＭＢ１又は携帯端末ＭＢ２から受信する位置情報をストレージ９に記録する処理を実現できる。
【００６５】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００６６】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態で携帯端末１に実装されてもよい。
【００６７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｉｆｉｎｉｔｉｏｎ  Ｌｉｎｋ）、ライトピーク（Ｌｉｇｈｔ  Ｐｅａｋ）、サンダーボルト（登録商標）（Ｔｈｕｎｄｅｒｂｏｌｔ）、ＬＡＮコネクタ（Ｌｏｃａｌ  Ａｒｅａ  Ｎｅｔｗｏｒｋ  ｃｏｎｎｅｃｔｏｒ）、イヤホンマイクコネクタのような汎用的な端子であってもよい。コネクタ１４は、Ｄｏｃｋコネクタのような専用に設計された端子でもよい。コネクタ１４に接続される装置は、例えば、充電器、外部ストレージ、スピーカ、通信装置、及び情報処理装置を含むが、これらに限定されない。
【００６８】
ＧＰＳ受信機１５は、ＧＰＳ衛星からの所定の周波数帯の電波信号を受信できる。ＧＰＳ受信機は、受信した電波信号の復調処理を行って、処理後の信号をコントローラ１０に送出する。
【００６９】
バッテリー１６は、充電台１００から印加される電力を蓄電する。
【００７０】
携帯端末１は、加速度センサを備えてもよい。加速度センサは、例えば携帯端末１に作用する加速度の方向及び大きさを検出できる。加速度センサは、Ｘ軸方向、Ｙ軸方向、及びＺ軸方向の加速度を検出する３軸型の加速度センサを採用できる。加速度センサは、ピエゾ抵抗型、静電容量型、圧電素子型（圧電式）、熱検知型によるＭＥＭＳ（Ｍｉｃｒｏ  Ｅｌｅｃｔｒｏ  Ｍｅｃｈａｎｉｃａｌ  Ｓｙｓｔｅｍｓ）式、動作させた可動コイルをフィードバック電流により元に戻すサーボ式、あるいは歪みゲージ式などにより構成することができる。加速度センサは、検出結果をコントローラに送出する。コントローラ１０は、加速度センサの検出結果に基づいて各種制御を実行できる。
【００７１】
携帯端末１は、方位センサを備えてもよい。方位センサは、地磁気の向きを検出できる。方位センサは、検出結果をコントローラ１０に送出する。コントローラ１０は、方位センサの検出結果に基づいて各種制御を実行できる。
【００７２】
携帯端末１は、角速度センサを備えてもよい。角速度センサは、携帯端末１の角速度を検出できる。角速度センサは、検出結果をコントローラ１０に送出する。コントローラ１０は、角速度センサの検出結果に基づいて各種制御を実行できる。
【００７３】
コントローラ１０は、加速度センサ、方位センサ、及び角速度センサの各検出結果を個別に利用する場合に限定されず、各検出結果を組み合わせて利用することもできる。
【００７４】
携帯端末１は、気圧センサを備えてもよい。気圧センサは、携帯端末１に作用する気圧を検出できる。気圧センサの検出結果は、単位時間あたりの気圧変化量を含んでよい。気圧変化量は、絶対値もしくはスカラー量を累積した値であってよい。単位時間は、任意の時間を設定してよい。気圧センサは、検出結果をコントローラ１０に送出する。
【００７５】
携帯端末１は、バイブレータを備えてもよい。バイブレータは、携帯端末１の一部又は全体を振動させる。バイブレータは、振動を発生させるために、例えば、圧電素子、又は偏心モータなどを有する。携帯端末１は、上述のセンサの他、温度センサ、湿度センサ、圧力センサなどを備えてもよい。携帯端末１は、バッテリー１６のように、携帯端末１の機能を維持するために当然に用いられる機能部、及び携帯端末１の制御を実現するために当然に用いられる検出部を実装する。
【００７６】
図９は、実施形態に係る充電台１００の機能構成の一例を示すブロック図である。図９に示すように、充電台１００は、スピーカ１１０と、操作キー１２０と、無線接続モジュール１３０と、メモリ１４０と、充電端子１５０と、充電制御回路１６０と、電源回路１７０と、コントローラ１８０とを有する。
【００７７】
スピーカ１１０は、ペアリングされた携帯端末１から送信される音信号に対応する音、又は音声信号に対応する音声を出力する。
【００７８】
操作キー１２０は、各種操作を受け付ける。例えば、操作キー１２０は、携帯端末１とのペアリングが実行可能な状態に無線接続モジュール１３０を切り替える操作を受け付ける。
【００７９】
無線接続モジュール１３０は、携帯端末１と近距離無線接続する。
【００８０】
メモリ１４０は、充電台１００の各種動作に関する処理を実行するためのプログラム及びデータを記憶する。メモリ１４０は、アプリケーション１４１と、認証用データ１４２と、設定データ１４３を記憶する。
【００８１】
アプリケーション１４１は、充電台１００の各種動作に関する処理を実行するための機能を提供できる。アプリケーション１４１が提供する機能は、例えば、無線接続モジュール１３０を介して、携帯端末１との間でペアリング処理を実行するための機能を含む。アプリケーション１４１が提供する機能は、携帯端末１から送信される音信号などを、スピーカ１１０から出力させるための機能を提供できる。
【００８２】
認証用データ１４２は、携帯端末１との間でペアリングを実行する際に参照されるプロファイル、及びペアリングの際に携帯端末１との間で交換されるパスキーなどのデータを含む。
【００８３】
設定データ１４３は、充電台１００の各種動作に関する処理において、アプリケーション１４１により参照されるデータを含む。
【００８４】
充電端子１５０は、携帯端末１のバッテリー１６に電力を供給する。充電制御回路１６０は、マイクロプロセッサを備えており、充電端子１５０を介して実行されるバッテリー１６への電力供給を制御する。電源回路１７０は、ＡＣ電源（商用交流電源）から電力の供給を受けて、充電台１００の各所へ電力を供給する。
【００８５】
コントローラ１８０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１８０は、充電台１００の動作を統括的に制御して各種の機能を実現する。
【００８６】
コントローラ１８０は、アプリケーション１４１を実行することにより、携帯端末１との間で実行されるペアリング処理を実現できる。コントローラ１８０は、アプリケーション１４１を実行することにより、携帯端末１から送信される音信号などを、スピーカ１１０から出力させる処理を実現できる。
【００８７】
図１０、１２〜１５、１７〜１９は、実施形態に係る携帯端末１により実行される処理の一例を示すフローチャートである。図１１は、実施形態に係るキャラクタ画像の表示例を示す図である。図１６は、実施形態に係る位置表示画像の表示例を示す図である。以下の説明において登場するグループ端末は、携帯端末ＭＢ１及び携帯端末ＭＢ２に該当する。図１０に示す処理は、コントローラ１０が、制御プログラム及びホームアプリケーション９Ｂを実行することにより実現される。
【００８８】
図１０は、携帯端末１が、充電台１００への設置等を検出して実行する処理の流れを示す。図１０に示すように、コントローラ１０は、充電台１００に設置されたかを判定する（ステップＳ１０１）。
【００８９】
コントローラ１０は、判定の結果、充電台１００に設置された場合（ステップＳ１０１，Ｙｅｓ）、図１１に示すように、予め設定されているキャラクタの画像Ａ１をディスプレイ２Ａに表示する(ステップＳ１０２)。
【００９０】
コントローラ１０は、充電台とのペアリングを実行する（ステップＳ１０３）。ペアリング完了後、コントローラ１０は、自機の動作モードを第１モードから第２モードへ切り替える（ステップＳ１０４）。
【００９１】
モードの切り替え完了後、コントローラ１０は、グループ端末の所定の通知を送信する（ステップＳ１０５）。
【００９２】
コントローラ１０は、充電台１００から取り外されたかを判定する（ステップＳ１０６）。
【００９３】
コントローラ１０は、判定の結果、充電台１００から取り外されていない場合（ステップＳ１０６，Ｎｏ）、ステップＳ１０６の判定を繰り返す。
【００９４】
一方、コントローラ１０は、判定の結果、充電台１００から取り外された場合（ステップＳ１０６，Ｙｅｓ）、充電台１００とのペアリングを解除する（ステップＳ１０７）。
【００９５】
ペアリング解除後、コントローラ１０は、自機の動作モードを第２モードから第１モードへ切り替える（ステップＳ１０８）。
【００９６】
モードの切り替え完了後、コントローラ１０は、グループ端末に所定の通知を送信して（ステップＳ１０９）、図１０に示す処理を終了する。
【００９７】
上記ステップＳ１０１において、コントローラ１０は、判定の結果、充電台１００に設置されていない場合（ステップＳ１０１，Ｎｏ）、図１０に示す処理を終了する。
【００９８】
上記ステップＳ１０５において、グループ端末に送信する所定の通知は、携帯端末１の充電が開始された旨を知らせるもの、或いは充電が開始された旨に代えて、携帯端末１のユーザが自宅に帰宅した旨を知らせるものであってよい。
【００９９】
上記ステップＳ１０７において、ペアリングの解除は、充電台１００から取り外されたことが検出された後、直ちに解除してもよいし、一定時間の経過後に解除してもよい。
【０１００】
上記ステップＳ１０５において、グループ端末に送信する所定の通知は、携帯端末１が充電台１００から取り外された旨を知らせるもの、或いは充電台１００から取り外された旨に代えて、携帯端末１のユーザが携帯端末１を所持して移動した旨を知らせるものであってよい。
【０１０１】
上記の実施形態において、例えば、グループ端末のユーザである親（携帯端末１のユーザの保護者）は、携帯端末１のユーザである子供の様子を推定することができる。
【０１０２】
上記ステップＳ１０２に対応する処理手順は、上記ステップＳ１０３に対応する処理手順の後に実行されてもよいし、上記ステップＳ１０４に対応する処理手順の後に実行されてもよい。
【０１０３】
図１２は、携帯端末１が充電台１００への接近を検出して実行する処理の流れを示す。図１２に示すように、コントローラ１０は、充電台１００との距離が閾値以下であるかを判定する（ステップＳ２０１）。
【０１０４】
コントローラ１０は、判定の結果、充電台１００との距離が閾値以下である場合（ステップＳ２０１，Ｙｅｓ）、充電を促す報知を実行して（ステップＳ２０２）、図１２示す処理を終了する。
【０１０５】
一方、コントローラ１０は、判定の結果、充電台１００との距離が閾値以下ではない場合（ステップＳ２０１，Ｎｏ）、図１２に示す処理を終了する。
【０１０６】
上記ステップＳ２０２において、充電を促す報知は、画像による報知、音声による報知を含む。画像による報知を行う場合、ディスプレイ２Ａの全面に充電を促すメッセージが記述された画像を表示してもよいし、ディスプレイ２Ａに表示するバナーに充電を促すメッセージを表示してもよい。音声による報知は、予め所定の音声による報知を実行してもよい。
【０１０７】
上記の実施形態において、例えば、携帯端末１のユーザである子供は、帰宅時に充電台に携帯端末１を設置することを忘れにくくなる。
【０１０８】
図１３は、第２モードであるとき、携帯端末１が予め設定された時刻に応じたメッセージを報知する処理の流れを示す。図１３に示すように、コントローラ１０は、動作モードが第２モードであるかを判定する（ステップＳ３０１）。
【０１０９】
コントローラ１０は、判定の結果、動作モードが第２モードである場合（ステップＳ３０１，Ｙｅｓ）、報知設定テーブル９３を参照して、報知実行条件を満足するかを判定する（ステップＳ３０２）。
【０１１０】
コントローラ１０は、判定の結果、報知実行条件を満足する場合（ステップＳ３０２，Ｙｅｓ）、ストレージ９に記憶されているホームアプリ用データ９２から対応する音声ファイルを読み込む（ステップＳ３０３）。
【０１１１】
コントローラ１０は、ステップＳ３０３で読み込んだ音声ファイルを再生して対応する報知を実行し（ステップＳ３０４）、図１３に示す処理を終了する。コントローラ１０は、充電台１００に備えられたスピーカ１１０から所定の報知を実行してもよい。コントローラ１０は、携帯端末１から充電台１００に無線接続モジュール１３０を介して音声ファイルを送信してもよい、充電台１００のコントローラ１８０は、アプリケーション１４１を実行することにより、携帯端末１から受信した音声ファイルを再生して、スピーカ１１０から対応する報知を出力してもよい。
【０１１２】
上記ステップＳ３０２において、コントローラ１０は、判定の結果、報知実行条件を満足しない場合（ステップＳ３０２，Ｎｏ）、図１３に示す処理を終了する。
【０１１３】
上記ステップＳ３０１において、コントローラ１０は、判定の結果、動作モードが第２モードではない場合（ステップＳ３０１，Ｎｏ）、図１３に示す処理を終了する。
【０１１４】
上記の実施形態において、例えば、携帯端末１のユーザである子供は、帰宅後の自身のスケジュールを忘れにくくなる。
【０１１５】
図１４は、第２モードであるとき、携帯端末１がグループ端末の位置情報を記録する処理の流れを示す。図１４に示すように、コントローラ１０は、動作モードが第２モードであるかを判定する（ステップＳ４０１）。
【０１１６】
コントローラ１０は、判定の結果、動作モードが第２モードである場合（ステップＳ４０１，Ｙｅｓ）、グループ端末の位置情報が受信されたかを判定する（ステップＳ４０２）。
【０１１７】
コントローラ１０は、判定の結果、グループ端末の位置情報が受信された場合（ステップＳ４０２，Ｙｅｓ）、グループ端末の位置情報をストレージ９に格納して（ステップＳ４０３）、上記ステップＳ４０１の判定に戻る。
【０１１８】
一方、コントローラ１０は、判定の結果、グループ端末の位置情報が受信されていない場合（ステップＳ４０２，Ｎｏ）、上記ステップＳ４０１の判定に戻る。
【０１１９】
上記ステップＳ４０１において、コントローラ１０は、判定の結果、動作モードが第２モードではない場合（ステップＳ４０１，Ｎｏ）、図１４に示す処理を終了する。
【０１２０】
図１５は、第２モードであるとき、携帯端末１がグループ端末の位置を示す画像を表示する処理の流れを示す。図１５に示すように、コントローラ１０は、動作モードが第２モードであるかを判定する（ステップＳ５０１）。
【０１２１】
コントローラ１０は、判定の結果、動作モードが第２モードである場合（ステップＳ５０１，Ｙｅｓ）、グループ端末の位置表示を実行するかを判定する（ステップＳ５０２）。
【０１２２】
コントローラ１０は、判定の結果、グループ端末の位置表示を実行する場合（ステップＳ５０２，Ｙｅｓ）、ストレージ９からグループ端末の最新の位置情報を読み込む（ステップＳ５０３）。
【０１２３】
コントローラ１０は、ステップＳ５０３で読み込んだグループ端末の位置情報及びホームアプリ用データ９２（位置表示画像生成用ファイル９２ｃ）を用いて、第１の位置及び第２の位置と、グループ端末の位置との位置関係を示す画像データを生成する（ステップＳ５０４）。
【０１２４】
コントローラ１０は、ステップＳ５０４で生成した画像データ（図１６参照）をディスプレイ２Ａに表示して（ステップＳ５０５）、図１５に示す処理を終了する。図１６に示すように、携帯端末１は、充電台１００に設置されて第２モードであるとき、例えば、第１の位置に対応する自宅の位置Ｌ１、第２の位置に対応する両親の会社Ｌ２と、グループ端末の位置に対応する両親の現在位置Ｐ１，Ｐ２を示す画像ＧＲ１をディスプレイ２Ａに表示する。
【０１２５】
上記ステップＳ５０２において、コントローラ１０は、判定の結果、グループ端末の位置表示を実行しない場合（ステップＳ５０２，Ｎｏ）、図１５に示す処理を終了する。
【０１２６】
上記ステップＳ５０１において、コントローラ１０は、判定の結果、動作モードが第２モードではない場合（ステップＳ５０１，Ｎｏ）、図１５に示す処理を終了する。
【０１２７】
ステップＳ５０２において、携帯端末１は、グループ端末の位置表示を実行するか否かの判定は、例えば、グループ端末の位置表示の実行を指示する子供の操作入力の有無に基づいて判定してもよいし、予め設定された時間（例えば、両親の帰宅時間）に基づいて自動的に判定してもよい。子供の操作入力の有無は、ディスプレイ２Ａに表示される画面に対する接触をタッチスクリーン２Ｂにより検出してもよい。携帯端末１が音声認識機能を備える場合、画面に対する操作を検出する代わりに、マイク８から入力される子供の音声を認識して、グループ端末の位置表示の実行指示であるかを判定してもよい。
【０１２８】
上記の実施形態において、例えば、携帯端末１のユーザである子供は、グループ端末のユーザである保護者が、会社と自宅との間でどの位置にいるかを感覚的に知ることができるため、安心感を得ることができる。
【０１２９】
図１７は、上記図１５に示す処理において、携帯端末１がグループ端末の位置を示す画像を更新する処理の流れを示す。図１７に示す処理は、ステップＳ６０６〜ステップＳ６０９までの処理の流れが図１５に示す処理とは異なる。
【０１３０】
図１７に示すように、携帯端末１は、動作モードが第２モードであるかを判定する（ステップＳ６０１）。
【０１３１】
コントローラ１０は、判定の結果、動作モードが第２モードである場合（ステップＳ６０１，Ｙｅｓ）、グループ端末の位置表示を実行するかを判定する（ステップＳ６０２）。
【０１３２】
コントローラ１０は、判定の結果、グループ端末の位置表示を実行する場合（ステップＳ６０２，Ｙｅｓ）、ストレージ９からグループ端末の最新の位置情報を読み込む（ステップＳ６０３）。
【０１３３】
コントローラ１０は、ステップＳ６０３で読み込んだグループ端末の位置情報及びホームアプリ用データ９２（位置表示画像生成用ファイル９２ｃ）を用いて、第１の位置及び第２の位置と、グループ端末の位置との位置関係を示す画像データを生成する（ステップＳ６０４）。
【０１３４】
コントローラ１０は、ステップＳ６０４で生成した画像データ（図１６参照）をディスプレイ２Ａに表示する（ステップＳ６０５）。
【０１３５】
画像データの表示後、コントローラ１０は、グループ端末の位置情報を受信したかを判定する（ステップＳ６０６）。
【０１３６】
コントローラ１０は、判定の結果、グループ端末の位置情報を受信した場合（ステップＳ６０６，Ｙｅｓ）、受信したグループ端末の位置に基づいて、第１の位置及び第２の位置と、グループ端末の位置との位置関係を示す画像データを更新する（ステップＳ６０７）。
【０１３７】
コントローラ１０は、ステップＳ６０７で更新した画像データをディスプレイ２Ａに表示する（ステップＳ６０８）。
【０１３８】
画像の更新後、コントローラ１０は、位置表示を終了するかを判定する（ステップＳ６０９）。位置表示終了の判定は、子供の操作入力の有無、着信などのイベントの発生の有無に基づいて判定してよい。
【０１３９】
コントローラ１０は、判定の結果、位置表示を終了しない場合（ステップＳ６０９，Ｎｏ）、上記ステップＳ６０６の判定に戻る。
【０１４０】
コントローラ１０は、判定の結果、位置表示を終了する場合（ステップＳ６０９，Ｙｅｓ）、図１７に示す処理を終了する。
【０１４１】
上記ステップＳ６０６において、判定の結果、グループ端末の位置情報を受信していない場合（ステップＳ６０６，Ｎｏ）、上記ステップＳ６０９の判定に移行する。
【０１４２】
上記ステップＳ６０２において、コントローラ１０は、判定の結果、グループ端末の位置表示を実行しない場合（ステップＳ６０２，Ｎｏ）、図１７に示す処理を終了する。
【０１４３】
上記ステップＳ６０１において、コントローラ１０は、判定の結果、動作モードが第２モードではない場合（ステップＳ６０１，Ｎｏ）、図１７に示す処理を終了する。
【０１４４】
上記ステップＳ６０６において、コントローラ１０は、ステップＳ６０６の処理手順と同時に、ステップＳ６０６の処理手順のバックグラウンドで、グループ端末から受信した位置情報の格納を実行してよい。
【０１４５】
上記の実施形態において、例えば、携帯端末１のユーザである子供は、会社と自宅の間におけるグループ端末のユーザである保護者の現在位置を常に更新しながら知ることができるため、保護者が自宅に帰ってくる安心感を得ることができる。
【０１４６】
図１８は、第２モードであるとき、携帯端末１がグループ端末からの要求に応じて撮影した画像を送信する処理の流れを示す。図１８に示すように、コントローラ１０は、グループ端末から画像送信指示を受信したかを判定する（ステップＳ７０１）。
【０１４７】
コントローラ１０は、判定の結果、グループ端末から画像送信指示を受信した場合（ステップＳ７０１，Ｙｅｓ）、動作モードが第２モードであるかを判定する（ステップＳ７０２）。
【０１４８】
コントローラ１０は、判定の結果、動作モードが第２モードである場合（ステップＳ７０２，Ｙｅｓ）、カメラ１２及びカメラ１３の少なくとも一方を起動する（ステップＳ７０３）。
【０１４９】
コントローラ１０は、ステップＳ７０３で起動したカメラで画像を撮影する（ステップＳ７０４）。
【０１５０】
コントローラ１０は、ステップＳ７０４で撮影した画像の画像データをグループ端末に送信する（ステップＳ７０５）。
【０１５１】
上記ステップ７０２において、コントローラ１０は、判定の結果、動作モードが第２モードではない場合（ステップＳ７０２，Ｎｏ）、画像の撮影に失敗した旨の通知を送信して（ステップＳ７０６）、図１８に示す処理を終了する。
【０１５２】
コントローラ１０は、判定の結果、グループ端末から画像送信指示を受信していない場合（ステップＳ７０１，Ｎｏ）、図１８に示す処理を終了する。
【０１５３】
上記ステップＳ７０４において、携帯端末は、画像送信指示の送信元であるグループ端末のみに撮影した画像を送信してもよいし、グループ端末として登録されている全ての端末に画像を送信してもよい。
【０１５４】
上記の実施形態において、例えば、グループ端末のユーザである保護者は、携帯端末１のユーザである子供の自宅における様子を画像で確認することができるため、安心感を得ることができる。
【０１５５】
図１９は、携帯端末１がブザースイッチ３Ｂに対する操作に応じて実行する処理の流れを示す。図１９に示すように、コントローラ１０は、ブザースイッチ３Ｂの操作があったかを判定する（ステップＳ８０１）。
【０１５６】
コントローラ１０は、判定の結果、ブザースイッチ３Ｂの操作があった場合（ステップＳ８０１，Ｙｅｓ）、動作モードが第２モードであるかを判定する（ステップＳ８０２）。
【０１５７】
コントローラ１０は、判定の結果、動作モードが第２モードである場合（ステップＳ８０２，Ｙｅｓ）、警告音を出力せずに（ステップＳ８０３）、図１９に示す処理を終了する。
【０１５８】
コントローラ１０は、判定の結果、動作モードが第２モードではない場合（ステップＳ８０２，Ｎｏ）、警告音を出力して（ステップＳ８０４）、図１９に示す処理を終了する。
【０１５９】
上記ステップＳ８０１において、コントローラ１０は、判定の結果、ブザースイッチ３Ｂの操作がない場合（ステップＳ８０１，Ｎｏ）、図１９に示す処理を終了する。
【０１６０】
携帯端末１は、上記の実施形態で説明した種々の機能を備えることにより、幼い子供などを見守る保護者からの視点、及び保護者に見守られる子供からの視点において、ユーザの利便性を向上できる。
【０１６１】
上記の実施形態において、例えば、携帯端末１は、ユーザである子供の状況にあわせて見守りの機能を変えることができる。例えば、携帯端末１が第２モードである場合は、携帯端末１のユーザである子供は、警告音を出力するような危険な状況になる可能性が低い。そのため、第２モードの場合には、ブザースイッチ３Ｂの操作では警告音を出力せずに、他の機能を実行するようにしてもよい。他の機能は、例えば、着信応答、表示するキャラクタの切り替え、及び報知音声の停止等を含む。
【０１６２】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【０１６３】
１  携帯端末
２Ａ  ディスプレイ
２Ｂ  タッチスクリーン
３Ａ  ホームキー
３Ｂ  ブザースイッチ
４  照度センサ
５  近接センサ
６  通信ユニット
７  レシーバ
８  マイク
９  ストレージ
９Ａ  制御プログラム
９Ｂ  ホームアプリケーション
９Ｚ  設定データ
１０  コントローラ
１１  スピーカ
１２  カメラ
１３  カメラ
１４  コネクタ
１５  ＧＰＳ受信機
１６  バッテリー
【図１】
2019041187.tif 000003
【図２】
2019041187.tif 000004
【図３】
2019041187.tif 000005
【図４】
2019041187.tif 000006
【図５】
2019041187.tif 000007
【図６】
2019041187.tif 000008
【図７】
2019041187.tif 000009
【図８】
2019041187.tif 000010
【図９】
2019041187.tif 000011
【図１０】
2019041187.tif 000012
【図１１】
2019041187.tif 000013
【図１２】
2019041187.tif 000014
【図１３】
2019041187.tif 000015
【図１４】
2019041187.tif 000016
【図１５】
2019041187.tif 000017
【図１６】
2019041187.tif 000018
【図１７】
2019041187.tif 000019
【図１８】
2019041187.tif 000020
【図１９】
2019041187.tif 000021